(57)【要約】【課題】液冷式冷却装置において、複数の電子部品を装着した場合における各電子部品の冷却効率を向上させる。【解決手段】液冷式冷却装置１０における第２ケーシング１４の底壁部２４には、フィン１６から離間する方向に窪んだ複数のスリットＳ１〜Ｓ７が形成される。このスリットＳ１〜Ｓ７は、冷媒の流れ方向と略直交した幅方向に沿って延在すると共に、前記流れ方向に沿って複数の電子部品Ｅ１ａ〜Ｅ８ａ、Ｅ１ｂ〜Ｅ８ｂの間となるように複数設けられる。また、スリットＳ１〜Ｓ７は、上流側から下流側に向かって徐々に幅方向長さが長くなるように形成される。そして、冷媒の一部がスリットＳ１〜Ｓ７へと流入して流路２８側へと再び流出することで、上方向へと対流させることができ、しかも、スリットＳ１〜Ｓ７によって下流側へと流れるにつれて冷媒の対流量を増加させることができる。【選択図】図３
2019133976.tif 000002
【特許請求の範囲】
【請求項１】
冷媒の供給される供給口と該冷媒の排出される排出口とを有したケーシングと、前記ケーシング内に収納されるフィンとを備え、前記ケーシングに設けられた発熱を伴う複数の電子部品を前記冷媒との熱交換によって冷却する液冷式冷却装置において、
前記ケーシングには、前記電子部品の装着される第１壁部と、前記フィンを挟んで前記第１壁部と対向する第２壁部とを備え、
前記第２壁部において前記フィンに臨む面には、該フィンから離間する方向に窪み、前記冷媒の流通方向と略直交する幅方向に延在した凹部が形成され、前記凹部は前記流通方向に沿って複数設けられると共に、少なくとも一部の前記凹部の幅方向長さが、前記流通方向の上流側に配置される凹部に対して下流側に配置される凹部の方が長く形成されることを特徴とする液冷式冷却装置。
【請求項２】
請求項１記載の液冷式冷却装置において、
前記電子部品は、前記幅方向において少なくとも２列以上となるように設けられ、前記凹部も前記電子部品に対応した複数の列で形成され、且つ、複数の電子部品の間となるように配置されることを特徴とする液冷式冷却装置。
【請求項３】
請求項２記載の液冷式冷却装置において、
前記凹部は、複数の列における一方の列における幅方向長さと、他方の列における幅方向長さとが異なるように形成されることを特徴とする液冷式冷却装置。
【請求項４】
請求項１〜３のいずれか１項に記載の液冷式冷却装置において、
前記ケーシングには、前記冷媒の一部の流通方向を前記電子部品側へと偏向させる偏向部が設けられることを特徴とする液冷式冷却装置。
【発明の詳細な説明】
【技術分野】
【０００１】
本発明は、複数の流路を流れる冷媒との熱交換を行うことで複数の電子部品を冷却することが可能な液冷式冷却装置に関する。
【背景技術】
【０００２】
従来から、例えば、半導体等の熱を発する電子部品を冷却するための冷却装置が知られており、このような冷却装置は、例えば、特許文献１に開示されるように、筐体と、この筐体の内部に収納される複数のフィンとを有し、外側となる筐体の下面に電子部品を設けると共に、筐体の内部において前記フィンが前記下面に接するように設けられている。一方、筐体の上面には、内部側に向かって突出した突出部が形成され、前記上面とフィンとの間を流れる冷媒の一部が前記突出部へと衝突し偏向されてフィンの間へと流入することで、上面近傍を流れる低温の冷媒を電子部品の装着された筐体の下面側へと導いて冷却効率を高めている。
【先行技術文献】
【特許文献】
【０００３】
【特許文献１】特開２０１２−３８０１０号公報
【発明の概要】
【発明が解決しようとする課題】
【０００４】
上述したような冷却装置において、冷媒の流通方向に沿って複数の電子部品を配置した場合には、各電子部品と熱交換された冷媒は下流へ流れるに従って徐々に暖められ、上流側に配置された電子部品と比較して下流側に配置された電子部品の冷却効率が低下してしまうという問題がある。
【０００５】
本発明は、前記の課題を考慮してなされたものであり、複数の電子部品を装着した場合における各電子部品の冷却効率を向上させることが可能な液冷式冷却装置を提供することを目的とする。
【課題を解決するための手段】
【０００６】
前記の目的を達成するために、本発明は、冷媒の供給される供給口と冷媒の排出される排出口とを有したケーシングと、ケーシング内に収納されるフィンとを備え、ケーシングに設けられた発熱を伴う複数の電子部品を冷媒との熱交換によって冷却する液冷式冷却装置において、
ケーシングには、電子部品の装着される第１壁部と、フィンを挟んで第１壁部と対向する第２壁部とを備え、
第２壁部においてフィンに臨む面には、フィンから離間する方向に窪み、冷媒の流通方向と略直交する幅方向に延在した凹部が形成され、凹部は流通方向に沿って複数設けられると共に、少なくとも一部の凹部の幅方向長さが、流通方向の上流側に配置される凹部に対して下流側に配置される凹部の方が長く形成されることを特徴とする。
【０００７】
本発明によれば、液冷式冷却装置を構成するケーシングには、電子部品の装着された第１壁部と対向した第２壁部を有し、この第２壁部は、フィンから離間する方向に窪んで幅方向に延在する凹部を備え、この凹部は冷媒の流通方向に沿って複数設けられ、少なくとも一部の凹部の幅方向長さが流通方向の上流側に対して下流側の方が長くなるように形成されている。
【０００８】
従って、供給口を通じてケーシング内へと供給された冷媒がフィンに沿って下流側へと流れる際、この冷媒の一部が凹部内に流入し再び流路へと戻るように流れることで、冷媒をケーシング内において第２壁部側から第１壁部側へと対流させることができ、しかも、凹部の幅方向長さを下流側がより長くなるように形成しているため、冷媒の対流量を上流側に対して下流側でより増加させることができる。
【０００９】
その結果、各電子部品との熱交換によって暖められた第１壁部側の冷媒と、第２壁部側の冷えている冷媒とを、凹部による冷媒の対流によって好適に混合させることができると共に、上流側の各電子部品との熱交換によって暖められた下流側の冷媒を幅方向長さの長い凹部によってより多く対流させることで第１壁部側における冷媒の温度をより一層低下させることができるため、複数の電子部品を設けた場合でも、下流側に配置された電子部品を含め冷却効率を向上させることが可能となる。
【００１０】
また、電子部品を、幅方向において少なくとも２列以上となるように設け、凹部も電子部品に対応した複数の列で形成し、且つ、複数の電子部品の間となるように配置するとよい。
【００１１】
さらに、凹部は、複数の列における一方の列における幅方向長さと、他方の列における幅方向長さとを異なるように形成するとよい。
【００１２】
さらにまた、ケーシングに、冷媒の一部の流通方向を電子部品側へと偏向させる偏向部を設けるとよい。
【発明の効果】
【００１３】
本発明によれば、以下の効果が得られる。
【００１４】
すなわち、ケーシングの第２壁部にはフィンから離間する方向に窪んで幅方向に延在する凹部を備え、この凹部を冷媒の流通方向に沿って複数設け、少なくとも一部の凹部の幅方向長さを流通方向の上流側に対して下流側の方が長くなるように形成しているため、ケーシング内をフィンに沿って流れる冷媒の一部を、凹部によって第２壁部側から第１壁部側へと対流させ、且つ、その対流量を上流側に対して下流側が多くなるように対流させることができる。
【００１５】
その結果、電子部品との熱交換によって暖められた第１壁部側の冷媒と、第２壁部側の冷えている冷媒とを凹部による対流によって好適に混合させることができると共に、上流側の電子部品との熱交換によって暖められた下流側の冷媒を幅方向長さの長い凹部によってより多く対流させることで第１壁部側における冷媒の温度を低下させることができるため、冷媒の流通方向に沿って複数の電子部品を設けた場合でも、下流側に配置された電子部品を含めた冷却効率をより向上させることができる。
【図面の簡単な説明】
【００１６】
【図１】本発明の実施の形態に係る液冷式冷却装置の全体断面図である。
【図２】図１の液冷式冷却装置の分解斜視図である。
【図３】図１の液冷式冷却装置を構成する第２ケーシング及びフィンを示す全体平面図である。
【図４】図１におけるスリット近傍を示す拡大断面図である。
【図５】変形例に係る液冷式冷却装置の第２ケーシング及びフィンを示す全体平面図である。
【発明を実施するための形態】
【００１７】
本発明に係る液冷式冷却装置について好適な実施の形態を挙げ、添付の図面を参照しながら以下詳細に説明する。図１において、参照符号１０は、本発明の実施の形態に係る液冷式冷却装置を示す。
【００１８】
この液冷式冷却装置１０は、図１及び図２に示されるように、上下方向に分割自在な第１及び第２ケーシング（ケーシング）１２、１４と、前記第１及び第２ケーシング１２、１４の内部に収納されるフィン１６と、前記第２ケーシング１４の下方を覆うカバープレート１８を含む。
【００１９】
第１及び第２ケーシング１２、１４は、例えば、金属製の板材を成形することで略同一形状に形成され、この第１ケーシング１２は、平坦状の頂壁部（第１壁部）２０と、該頂壁部２０の外縁部に立設した第１側壁部２２とからなり、前記頂壁部２０の上面には冷却の必要とされる電子部品Ｅ１ａ〜Ｅ８ａ、Ｅ１ｂ〜Ｅ８ｂが装着される。
【００２０】
この電子部品Ｅ１ａ〜Ｅ８ａ、Ｅ１ｂ〜Ｅ８ｂは、図１〜図３に示されるように、例えば、発熱を伴う半導体等からなり、第１ケーシング１２の幅方向（矢印Ａ方向）に互いに離間するように一組ずつ配置され、長手方向（矢印Ｂ１、Ｂ２方向）に沿ってそれぞれ等間隔離間して８列に配置された合計１６個装着される。
【００２１】
換言すれば、幅方向一方側（矢印Ａ１方向）の列に配置された電子部品Ｅ１ａ〜Ｅ８ａと、幅方向他方側（矢印Ａ２方向）の列に配置された電子部品Ｅ１ｂ〜Ｅ８ｂとが、第１ケーシング１２の幅方向中央に対してそれぞれ幅方向外側（矢印Ａ１、Ａ２方向）に離間するように２列になって長手方向に沿って配置される。なお、電子部品Ｅ１ａ〜Ｅ８ａ、Ｅ１ｂ〜Ｅ８ｂは、上述した数量（１６個）に限定されるものではなく、必要に応じた数量で適宜配置すればよい。
【００２２】
第２ケーシング１４は、平坦状の底壁部（第２壁部）２４と、該底壁部２４の外縁部に立設した第２側壁部２６とからなり、前記底壁部２４は、第１ケーシング１２の頂壁部２０と略同一形状に形成されると共に、前記第２側壁部２６の端部が第１ケーシング１２における第１側壁部２２の端部と当接した状態で、例えば、ろう付け等によって接続される。
【００２３】
これにより、図１に示されるように、第１ケーシング１２の頂壁部２０と第２ケーシング１４の底壁部２４とが略平行となり、第１及び第２側壁部２２、２６に囲まれた第１及び第２ケーシング１２、１４の内部空間が冷媒の流通する流路２８となる。
【００２４】
また、第２ケーシング１４の底壁部２４には、冷媒の供給される供給口３０と、内部を流れた冷媒の排出される排出口３２とがそれぞれ開口している。この供給口３０は、第２ケーシング１４の長手方向に沿った一端部側（矢印Ｂ１方向）において幅方向中央から第２側壁部２６側（図３中、矢印Ａ１方向）へとオフセットした位置に形成され、排出口３２は、第２ケーシング１４の他端部側（矢印Ｂ２方向）において幅方向中央から供給口３０とは反対側（図３中、矢印Ａ２方向）にオフセットして形成される。すなわち、第２ケーシング１４の幅方向において供給口３０と排出口３２とが一直線状に配置されておらず、幅方向（矢印Ａ方向）に互い違いとなるようにオフセットしている。
【００２５】
さらに、底壁部２４には、供給口３０の下流側（矢印Ｂ２方向）に第１ガイド壁（偏向部）３４が設けられると共に、排出口３２の上流側（矢印Ｂ１方向）には第２ガイド壁（偏向部）３６が設けられる。この第１及び第２ガイド壁３４、３６は、例えば、底壁部２４に対してろう付け等で固定された板状に形成され、第２ケーシング１４の幅方向中央に設けられ、冷媒の流通方向と直交する幅方向（矢印Ａ方向）に延在すると共に、底壁部２４に対して直交するように立設している。
【００２６】
また、底壁部２４には、冷媒の流れ方向となる第２ケーシング１４の長手方向（矢印Ｂ１、Ｂ２方向）において、第１ガイド壁３４と第２ガイド壁３６との間となる位置に前記長手方向と直交する幅方向（図２及び図３中、矢印Ａ方向）に延在した複数のスリットＳ１〜Ｓ７が形成される。
【００２７】
このスリットＳ１〜Ｓ７は、図１〜図４に示されるように、例えば、断面矩形状で底壁部２４を貫通するように形成され、図３に示されるように、第１ケーシング１２に配置される複数の電子部品Ｅ１ａ〜Ｅ８ａ、Ｅ１ｂ〜Ｅ８ｂの間となるように前記長手方向（矢印Ｂ１、Ｂ２方向）に沿って互いに等間隔離間して設けられる。換言すれば、スリットＳ１〜Ｓ７は、図１及び図４に示されるように、底壁部２４に対して重力方向下方（矢印Ｃ１方向）へと窪んで形成される。
【００２８】
また、スリットＳ１〜Ｓ７は、図３に示されるように、幅方向中央から幅方向外側（矢印Ａ１、Ａ２方向）にそれぞれ所定距離だけ離間し幅方向（矢印Ａ方向）において対となるように形成される。
【００２９】
そして、複数のスリットＳ１〜Ｓ７は、供給口３０側となる上流側から排出口３２側となる下流側（矢印Ｂ２方向）に向かって徐々に幅方向長さＬ（図３参照）が長くなるように形成される。すなわち、最も上流側（矢印Ｂ１方向）に形成されたスリットＳ１の幅方向長さＬが最も短く、最も下流側（矢印Ｂ２方向）に形成されたスリットＳ７の幅方向長さＬが最も長くなるように形成される。
【００３０】
詳細には、スリットＳ１〜Ｓ７は、図３に示されるように、第２側壁部２６側となる幅方向外側（矢印Ａ１、Ａ２方向）の外端３８が略同一位置となるように形成され、幅方向中央側となる内端４０の位置を変化させることで幅方向長さＬがそれぞれ異なるように形成される。
【００３１】
このように、スリットＳ１〜Ｓ７は、第１及び第２ケーシング１２、１４の長手方向（矢印Ｂ１、Ｂ２方向）において、電子部品Ｅ１ａ〜Ｅ８ａ、Ｅ１ｂ〜Ｅ８ｂとスリットＳ１〜Ｓ７とが交互となるように配置され、上流側から下流側（矢印Ｂ２方向）に向かって徐々に幅方向中央側へと長くなるように形成されると共に、幅方向に２列に配置された電子部品Ｅ１ａ〜Ｅ８ａ、Ｅ１ｂ〜Ｅ８ｂに対応して該幅方向において対（２列）で形成される。
【００３２】
カバープレート１８は、図１及び図２に示されるように、第２ケーシング１４における底壁部２４に対して下方から当接し覆うように設けられることで、複数のスリットＳ１〜Ｓ７が全て覆われた状態となり、例えば、前記底壁部２４に対してろう付けによって固定される。これにより、スリットＳ１〜Ｓ７が、カバープレート１８によって第２ケーシング１４の外側と非連通状態となる。
【００３３】
フィン１６は、例えば、アルミニウム材料等の薄板を成形することで断面波状に折曲され、第１及び第２ケーシング１２、１４の幅方向（矢印Ａ方向）に沿って第１ケーシング１２の頂壁部２０と第２ケーシング１４の底壁部２４に対して交互に接するように配置されると共に、波状の断面形状で第１及び第２ケーシング１２、１４の長手方向（矢印Ｂ１、Ｂ２方向）に沿って延在するように形成されている。また、フィン１６は、その上流側端部が第１ガイド壁３４に臨み、下流側端部が第２ガイド壁３６に臨むように設けられることで、複数のスリットＳ１〜Ｓ７を覆うように配置される（図１及び図３参照）。
【００３４】
そして、冷媒は、第１及び第２ケーシング１２、１４において複数のフィン１６に沿って流路２８内を長手方向に沿って下流側（矢印Ｂ２方向）へと流通する。
【００３５】
本発明の実施の形態に係る液冷式冷却装置１０は、基本的には以上のように構成されるものであり、次にその動作並びに作用効果について説明する。
【００３６】
先ず、図示しない冷却液供給手段から配管４２ａ（図１参照）を通じて供給口３０へと冷媒が供給されることで、この冷媒は第１ガイド壁３４によって幅方向中央から下流側（矢印Ｂ２方向）への流通が遮断され、幅方向外側（矢印Ａ１、Ａ２方向）へと分流して複数のフィン１６に沿って流路２８内を下流側へと流れる。
【００３７】
この第１ガイド壁３４によって分流された冷媒が、電子部品Ｅ１ａ〜Ｅ８ａ、Ｅ１ｂ〜Ｅ８ｂに臨む第１及び第２ケーシング１２、１４の幅方向外側（矢印Ａ１、Ａ２方向）をそれぞれフィン１６に沿って下流側へと流れると同時に、底壁部２４近傍を流れる冷媒の一部が重力方向下方（矢印Ｃ１方向）に窪んだスリットＳ１〜Ｓ７へと流入して再び流出することで上方向（矢印Ｃ２方向）への対流が生じる。
【００３８】
この冷媒の対流によって、下方となる底壁部２４近傍を流れる冷媒が、電子部品Ｅ１ａ〜Ｅ８ａ、Ｅ１ｂ〜Ｅ８ｂ側となる頂壁部２０側（矢印Ｃ２方向）を流れる冷媒に向かって流れて混合される（図４参照）。
【００３９】
これにより、上流側（矢印Ｂ１方向）に設けられた電子部品Ｅ１ａ、Ｅ１ｂから下流側に向かって順番に冷媒によって冷却されていく。具体的には、電子部品Ｅ１ａ、Ｅ１ｂで発生した熱が、第１ケーシング１２の頂壁部２０からフィン１６へと伝達され、このフィン１６に沿って流れる冷媒のうち前記電子部品Ｅ１ａ、Ｅ１ｂと対峙する位置を流れる冷媒と熱交換され、前記フィン１６及び第１ケーシング１２の頂壁部２０を通じて電子部品Ｅ１ａ、Ｅ１ｂへと伝達された冷熱によって冷却されると共に、この熱交換によって前記冷媒が加熱される。
【００４０】
そして、フィン１６における幅方向外側（矢印Ａ１、Ａ２方向）を流れる冷媒は、電子部品Ｅ１ａ、Ｅ１ｂを冷却した後にさらに下流側（矢印Ｂ２方向）へと流通することで、下流側に配置された電子部品Ｅ２ａ〜Ｅ８ａ、Ｅ２ｂ〜Ｅ８ｂと熱交換され順番に冷却していく。
【００４１】
この際、各スリットＳ１〜Ｓ７の幅方向長さＬが下流側（矢印Ｂ２方向）に向かって徐々に長くなるように形成され、この幅方向長さＬが長いほど冷媒が内部に流入した際の流通抵抗が大きくなるため、前記幅方向長さＬに比例して下流側（矢印Ｂ２方向）に流れるに従って冷媒の流通抵抗が増加することとなる。
【００４２】
そのため、第１及び第２ケーシング１２、１４において、底壁部２４近傍を流れる冷媒の一部は、幅方向長さＬの徐々に長くなるスリットＳ１〜Ｓ７へと流入することで、下流側へと流れるにつれて頂壁部２０側（矢印Ｃ２方向）への対流が促進される。
【００４３】
これにより、冷媒の流通方向に沿って配置された複数のスリットＳ１〜Ｓ７によって第２ケーシング１４の底壁部２４近傍を流れる冷媒を上方向へと偏向させ対流を生じさせることで、各電子部品Ｅ１ａ〜Ｅ８ａ、Ｅ１ｂ〜Ｅ８ｂによって加熱された第１ケーシング１２側（頂壁部２０側）の冷媒と、比較的冷えている第２ケーシング１４側（底壁部２４側）の冷媒とを好適に混ぜて冷媒温度を低下させることができる。
【００４４】
また、それに加え、スリットＳ１〜Ｓ７の幅方向長さＬの変化によって上流側から下流側に向かって徐々に冷媒の上方への対流量を増加させることで、下流側に向かって積極的に底壁部２４側の冷えた冷媒を対流させ、電子部品Ｅ１ａ〜Ｅ８ａ、Ｅ１ｂ〜Ｅ８ｂとの熱交換によって徐々に暖められていく頂壁部２０側の冷媒と混合させることができるため、第１ケーシング１２側を流れる冷媒の冷媒温度をより効果的に低下させる。
【００４５】
換言すれば、スリットＳ１〜Ｓ７の幅方向長さＬを下流側に向けて長くなるように変化させることで、下流側に向かって徐々に冷媒の撹拌効果を高めることが可能となる。
【００４６】
最後に、各電子部品Ｅ１ａ〜Ｅ８ａ、Ｅ１ｂ〜Ｅ８ｂと熱交換のなされた冷媒が、フィン１６に沿って下流側となる排出口３２へとそれぞれ流れ、この排出口３２から配管４２ｂ（図１参照）へと排出される。なお、冷媒は、第１及び第２ケーシング１２、１４の外部において、再び冷却された後に冷却液供給手段から供給口３０へと供給され循環する。
【００４７】
なお、フィン１６の下流側に配置された第２ガイド壁３６によって該フィン１６に沿って流れる冷媒は、第１及び第２ガイド壁３４、３６の配置された幅方向中央近傍により流れにくく、複数の電子部品Ｅ１ａ〜Ｅ８ａ、Ｅ１ｂ〜Ｅ８ｂの配置された幅方向外側（矢印Ａ１、Ａ２方向）へとより積極的に流通させることができる。
【００４８】
以上のように、本実施の形態では、液冷式冷却装置１０を構成する第１及び第２ケーシング１２、１４において、フィン１６に臨む第２ケーシング１４の底壁部２４に複数のスリットＳ１〜Ｓ７を設け、このスリットＳ１〜Ｓ７を、底壁部２４に対して重量方向下方（矢印Ｃ１方向）へと窪ませ、且つ、冷媒の流通方向（矢印Ｂ２方向）と略直交した幅方向（矢印Ａ方向）に延在させると共に、上流側から下流側（矢印Ｂ２方向）に向かって徐々に幅方向長さＬが長くなるように形成している。
【００４９】
これにより、第２ケーシング１４側（底壁部２４側）を流れる冷媒の一部を、各スリットＳ１〜Ｓ７へと流入させ再び流路２８側へと戻るように流すことで上方向（矢印Ｃ２方向）へと偏向させ流路２８内で対流させると共に、各スリットＳ１〜Ｓ７の幅方向長さＬの変化に応じて上流側から下流側に向けて前記冷媒の対流量を増加させることができる。
【００５０】
その結果、電子部品Ｅ１ａ〜Ｅ８ａ、Ｅ１ｂ〜Ｅ８ｂと熱交換され暖まった第１ケーシング１２側（頂壁部２０側、矢印Ｃ２方向）の冷媒と、第２ケーシング１４側（矢印Ｃ１方向）の比較的冷えている冷媒とを対流によって好適に混合させることで、前記第１ケーシング１２側（頂壁部２０側）の冷媒が好適に冷却され、この第１ケーシング１２に装着された電子部品Ｅ１ａ〜Ｅ８ａ、Ｅ１ｂ〜Ｅ８ｂを効果的に冷却できる。また同時に、スリットＳ１〜Ｓ７によって第２ケーシング１４側を流れる冷媒の上方への対流量を下流側に向けて積極的に増加させることで、下流側へ流れるにつれて暖まった第１ケーシング１２側の冷媒と対流した冷えた冷媒とを混合させ冷媒温度を効果的に低下させ、下流側に配置された電子部品を含め、各電子部品Ｅ１ａ〜Ｅ８ａ、Ｅ１ｂ〜Ｅ８ｂの冷却効率をより高めることができる。
【００５１】
また、複数のスリットＳ１〜Ｓ７は、上述した液冷式冷却装置１０のように幅方向外側に設けられた２列がそれぞれ下流側（矢印Ｂ２方向）に向かって幅方向長さＬが長くなるように変化する場合に限定されるものではなく、例えば、図５に示される液冷式冷却装置５０のように、第２ケーシング５２における幅方向一方側（矢印Ａ１方向）のスリットＳ１ａ〜Ｓ７ａが略同一の幅方向長さＬ１で形成され、幅方向他方側（矢印Ａ２方向）のスリットＳ１ｂ〜Ｓ７ｂの幅方向長さＬ２が下流側（矢印Ｂ２方向）に向かって徐々に長くなるように形成してもよい。
【００５２】
なお、この場合、幅方向一方側（矢印Ａ１方向）のスリットＳ１ａ〜Ｓ７ａの幅方向長さＬ１は、最も下流側となる幅方向他方側（矢印Ａ２方向）のスリットＳ７ｂの幅方向長さＬ２と略同等に設定される。
【００５３】
これにより、上述した液冷式冷却装置５０では、幅方向一方側（矢印Ａ１方向）において上流側から下流側まで複数のスリットＳ１ａ〜Ｓ７ａによって略同一の対流量で冷媒を対流させると共に、幅方向他方側（矢印Ａ２方向）では、上流側から下流側に向かって複数のスリットＳ１ｂ〜Ｓ７ｂによって対流量を徐々に増やすように冷媒を対流させることができる。
【００５４】
そのため、例えば、第１ケーシング１２において、幅方向一方側（矢印Ａ１方向）に発熱量が比較的大きく冷却の必要とされる電子部品Ｅ１ａ〜Ｅ８ａが配置されている場合に、略同一の幅方向長さＬ１のスリットＳ１ａ〜Ｓ７ａを設けておくことで冷媒を積極的に対流させ、各電子部品Ｅ１ａ〜Ｅ８ａの冷却効率を高めることができる。
【００５５】
一方、幅方向他方側（矢印Ａ２方向）に配置された電子部品Ｅ１ｂ〜Ｅ８ｂには幅方向一方側ほどの冷却が必要とされない場合、下流側に向かって徐々に冷媒の対流量を増加させることで、下流側に向かって徐々に低下する電子部品Ｅ１ｂ〜Ｅ８ｂに対する冷却効率を向上させることができる。
【００５６】
このように、第２ケーシング５２に対して幅方向に沿って２列に複数のスリットＳ１ａ〜Ｓ７ａ、Ｓ１ｂ〜Ｓ７ｂが設けられる際、その幅方向一方側のスリットＳ１ａ〜Ｓ７ａの幅方向長さＬ１と、幅方向他方側のスリットＳ１ｂ〜Ｓ７ｂの幅方向長さＬ２とを異なるように設定することで、幅方向一方側（矢印Ａ１方向）を流れる冷媒の流通量（対流量）と、幅方向他方側（矢印Ａ２方向）を流れる冷媒の流通量（対流量）とを自在に調整し、電子部品Ｅ１ａ〜Ｅ８ａ、Ｅ１ｂ〜Ｅ８ｂの発熱量等に応じて最適な冷却効率を実現することができる。
【００５７】
なお、本発明に係る液冷式冷却装置は、上述の実施の形態に限らず、本発明の要旨を逸脱することなく、種々の構成を採り得ることはもちろんである。
【符号の説明】
【００５８】
１０、５０…液冷式冷却装置          １２…第１ケーシング
１４、５２…第２ケーシング          １６…フィン
２０…頂壁部                        ２４…底壁部
Ｅ１ａ〜Ｅ８ａ、Ｅ１ｂ〜Ｅ８ｂ…電子部品
Ｓ１〜Ｓ７、Ｓ１ａ〜Ｓ７ａ、Ｓ１ｂ〜Ｓ７ｂ…スリット
【図１】
2019133976.tif 000003
【図２】
2019133976.tif 000004
【図３】
2019133976.tif 000005
【図４】
2019133976.tif 000006
【図５】
2019133976.tif 000007